(57)【要約】【課題】  棚枠を折り畳み可能に形成することにより、持ち運びが便利であり、組立てもワンタッチで行える。  また、棚枠の各段に、三角形あるいは四角形の各種棚板を着脱自在に取り付けられることにより、用途（目的）に合せた棚を構築できる棚枠及び棚を提供する。【解決手段】  少なくとも３本の脚軸の相対向する２本の脚軸に、中央付近に切欠溝を設けた水平な受軸を複数架設すると共に、他の少なくとも１本の脚軸に、水平な支持軸を複数突設し、この支持軸の先端部あるいは中央部を上記切欠溝内に設け、ピンにて回動自在に設けてなることを特徴とする。【選択図】  図１
2006192224.tif 000002
【特許請求の範囲】
【請求項１】
少なくとも３本の脚軸の相対向する２本の脚軸に、中央付近に切欠溝を設けた水平な受軸を複数架設すると共に、他の少なくとも１本の脚軸に、水平な支持軸を複数突設し、この支持軸の先端部あるいは中央部を上記切欠溝内に設け、ピンにて回動自在に設けてなることを特徴とする棚枠。
【請求項２】
棚枠の下部にライト支持部を設けてなることを特徴とする請求項１記載の棚枠。
【請求項３】
請求項１又は２記載の棚枠の各段に、着脱自在な棚板を設けてなることを特徴とする棚。
【請求項４】
棚板が、略三角形あるいは略四角形とし、少なくとも１箇所の角部を切り欠き、脚軸に係止する係止部を設けてなることを特徴とする請求項３記載の棚。
【請求項５】
棚板が畳であることを特徴とする請求項３又は４記載の棚。
【請求項６】
棚板がガラスであることを特徴とする請求項３又は４記載の棚。
【発明の詳細な説明】
【技術分野】
【０００１】  本発明は、折り畳み自在に設けた棚枠に、用途に合せて棚板を着脱自在に設けてなる棚に関するものである。
【背景技術】
【０００２】  従来の技術として、交差角度が変更できるように端部同士が互いに回動自在に連結された左右一対の棚枠と、部屋のコーナー部を形成する両壁面に各棚枠を押し付けるべく当該両棚枠間に配置された押圧手段と、縁部が両棚枠によって支持される棚板とを備えているコーナー用棚装置において、前記押圧手段を、各棚枠の内面に両端部がそれぞれ当接した状態で当該両棚枠の交差部分に対して接離自在となるように設けられた突っ張り部材と、この突っ張り部材を交差部分に向かって強制的に接近させる締め付け部材とから構成するものがある。（特許文献１参照）【０００３】  また、他の従来技術として、棚板の設定位置に棚板の両側コーナーの隅切り端縁部が嵌入する嵌合凹部を設けた一対の両側支柱と、棚板の背部コーナーの隅切り端縁部が嵌入する嵌合凹部を設けた背面支柱の各嵌合凹部に、コーナー部の隅切りを行った略三角形の棚板の各隅切り端縁部をそれぞれ嵌入すると共に、前記各支柱の嵌合凹部に設けた木螺子孔でそれぞれ螺子止めして本体を構成したことを特徴とする組立て式コーナーラックがある。（特許文献２参照）
【特許文献１】  特開２００２−５８５５８号公報
【特許文献２】  特開２００１−１２８７６１号公報
【発明の開示】
【発明が解決しようとする課題】
【０００４】  上記前者においては、比較的弱い締め付け力であっても各棚枠を両壁面に強固に押し付けられるコーナー用棚装置であり、本発明とは異なり、両壁面で形成されるコーナー部に取り付けるものである。【０００５】  また、上記後者においては、顧客が簡易に組立てることができるノックダウン方式によるもので、ドライバーを必要とするため組立てに時間と労力を要するものである。【０００６】  本発明は、上記の問題点に鑑みなされたもので、棚枠を折り畳み可能に形成することにより、持ち運びが便利であり、組立てもワンタッチで行える。
また、棚枠の各段に、略三角形あるいは略四角形の各種棚板を着脱自在に取り付けられることにより、用途（目的）に合せた棚を構築できる棚枠及び棚を提供するものである。
【課題を解決するための手段】
【０００７】  そして、本発明は上記目的を達成するために、棚枠においては、少なくとも３本の脚軸の相対向する２本の脚軸に、中央付近に切欠構を設けた水平な受軸を複数架設すると共に、他の少なくとも１本の脚軸に、水平な支持軸を複数突設し、この支持軸の先端部あるいは中央部を上記切欠溝内に設け、ピンにて回動自在に設けてなること。棚枠の下部にライト支持部を設けてなることを特徴とする。
また、棚においては、請求項１又は２記載の棚枠の各段に、着脱自在な棚板を設けてなること。棚板が、略三角形あるいは略四角形とし、少なくとも１箇所の角部を切り欠き、脚軸に係止する係止部を設けてなること。棚板が畳であること。棚板がガラスであることを特徴とする。
【発明の効果】
【０００８】１）、支持軸の先端部あるいは中央部を、受軸の切欠溝にピンにて回動自在に取り付けることにより、折り畳み可能となり、持ち運びに便利であると共に、組立ても簡単に行え、設置場所を選ばない。
２）、ライト支持部を設けることにより、ライトアップが可能となり、照明機具としても使用できる。
３）、棚板を着脱自在に設けることにより、必要な段（受軸と支持軸の上面を同一平面状に形成してある）に棚板を取り付けることができる。
４）、棚板を略三角形あるいは略四角形とすることにより、色々なパターンの棚を構築できる。
５）、棚板を畳にしたり、ガラスにしたりすることにより、特に畳は和室にマッチングし、ガラスはライトにより光を貫通させることにより幻想的な空間を表現できる。
【発明を実施するための最良の形態】
【実施例】
【０００９】  以下、本発明の実施例を図面に基づいて説明する。
棚枠１は、３本の脚軸２ａ・２ｂ・２ｃの相対向する２本の脚軸２ａ・２ｂに、中央付近に斜状に形成した切欠溝３ａを設けた水平な受軸３を複数（この実施例の場合、７本）架設すると共に、他の１本の脚軸２ｃに、水平な支持軸４を複数（この実施例の場合、７本）突設し、この支持軸４−−−の先端部を上記切欠溝３ａ内に設け、ピン５にて回動自在に設けてなる。
なお、受軸３と支持軸４の上面を同一平面状に形成してある。【００１０】  上記棚枠１の動作について説明する。
棚枠１は、例えば部屋Ｈのコーナー部Ｋに設けるもので、支持軸４をピン５を軸として回動させ、平面三角形状に形成する。
この状態で、各段の受軸３及び支持軸４上面に箱物等を置く棚として使用できるものである。【００１１】  つぎに、棚１１について説明する。
棚１１は、脚軸２２ｃの下部にライト支持部２２ｃ１を設けると共に、脚軸２２ａ・２２ｂの下部間にライト支持部２２ｃ１の目隠し用としての格子部６を設けてなる棚枠２１の各段に、略三角形状に形成し、２箇所の角部をコの字形に切り欠き脚軸２２ａ・２２ｂに係止する係止部７ａを設けてなる棚板７を設けてなるものである。【００１２】  なお、棚板７は畳で加工したものやガラスで加工したもの等、必要に応じて選定すればよく、ガラスの場合、ライト支持部２２ｃ１に取り付けたライトにより、光がガラスを透過し、上方へライトアップすることができる。
また、木製やプラスチック製も一考である。【００１３】  上記棚１１も、部屋・事務所・店舗等、色々な場所で使用できるものである。
なお、受軸及び支持軸の数や大きさ等は、特に限定することなく、自由に設定すればよい。
さらに、脚軸を４本とし、支持軸の先端を延長させ、棚枠を平面四角形（×形）にするのも一考であり、各段へは略四角形状の棚板を設け、棚とすることも一考である。
【図面の簡単な説明】
【００１４】
【図１】  本発明の一実施例を示す棚枠の正面図。
【図２】  本発明の一実施例を示す棚枠の平面図。
【図３】  本発明の一実施例を示す棚枠の側面図。
【図４】  本発明の一実施例を示す棚枠の回動状態の平面図。
【図５】  本発明の一実施例を示す棚の平面図。
【図６】  本発明の一実施例を示す棚の正面図。
【図７】  本発明の一実施例を示す棚の側面図。
【符号の説明】
【００１５】１−−−棚枠
２−−−脚軸
３−−−受軸
４−−−支持軸
５−−−ピン
６−−−格子部
７−−−棚板
【図１】
2006192224.tif 000003
【図２】
2006192224.tif 000004
【図３】
2006192224.tif 000005
【図４】
2006192224.tif 000006
【図５】
2006192224.tif 000007
【図６】
2006192224.tif 000008
【図７】
2006192224.tif 000009